【手続補正書】
【提出日】平成30年6月1日(2018.6.1)
【手続補正１】
【補正対象書類名】明細書
【補正対象項目名】全文
【補正方法】変更
【補正の内容】
【発明の詳細な説明】
【発明の名称】汚物を包含させて廃棄できる使い捨て手袋
【技術分野】
【０００１】    本発明は、現在、各種作業に使われている使い捨て手袋の中で、材質がポリオレフィン系（ポリオレフィン、ポリエチレン、ポリプロピレン）の手袋について、該手袋を使用しての作業後に廃棄すべき汚物等が若干生じた時、該作業で使用した該手袋と該汚物とをいっしょにまとめて廃棄処理しやすく工夫したものであり、また、作業とは無関係に、目の前に廃棄すべき汚物等が若干ある場合にも、当該仕様の使い捨て手袋を使用して該廃棄処理が簡単にできるように工夫したものであり、そして該工夫によって、これまでとは異なる新しい脱ぎ方ができる使い捨て手袋に関するものである。
【背景技術】
【０００２】   現在、多くの作業現場において使い捨て手袋が使用されている。もし或る現場で使い捨て手袋を使って作業をした後、当該作業によって廃棄すべき汚物等が生じた時、該汚物等の量がさほど多くない場合は、該汚物等を作業後の使い捨て手袋に包含させるようにして共にまとめて廃棄できれば、周囲を汚すこともなく小奇麗にかつ衛生的に作業を終えることができる。   しかし、従来型（図１のa）の使い捨て手袋では、上記で示したような方法での廃棄処分は難しく、また敢えて該方法を実行しても、作業後の手袋の汚れや、該手袋といっしょに捨てる汚物等の飛沫が、生身の手に付着しやすく、作業者に与える心理的な負担が大きかった。【０００３】   現在、上記の理由から、従来型の使い捨て手袋には、さまざまに工夫されたものがある。
【先行技術文献】
【特許文献】
【０００４】
【特許文献１】特開平１０−３１７２１７号公報
【特許文献２】特開平１１−２９２０１号公報
【特許文献３】特開２０００−６４１０８号公報
【特許文献４】特開２００４−２２５２２５号公報
【発明の概要】
【発明が解決しようとする課題】
【０００５】   しかし上述の特許文献で示したその工夫は、いずれも従来の使い捨て手袋の形状を大きく変更したものであり、該使い捨て手袋で従来通りに作業をするためには相当な違和感があり、快適な使用を非常に難しくしている。さらに形状の変化した該使い捨て手袋を製品化する上での事業者の負担が大きい。        
【課題を解決するための手段】
【０００６】   本発明は、従来型のポリオレフィン系（ポリオレフィン、ポリエチレン、ポリプロピレン）の材質の使い捨て手袋において、手の挿入口のふちの中央部分に、該手袋破砕用の凹状の成形を施し、それを「指かかり」として（図参照）該手袋を一定の手順で脱ぐことで、作業で生じた若干の廃棄汚物を、該手袋と共に容易に、かつ衛生的に捨てることが可能となる。
【発明の効果】
【０００７】   作業後に発生した若干の廃棄すべき汚物等を、該作業で使用した使い捨て手袋と一まとめにして簡単に廃棄することが可能となり、また、該廃棄のために別の器具や用具は必要でなく、該使い捨て手袋のみで汚物を廃棄処理できる。   また、特に作業で処理する汚物の汚染度が高いもの（糞便、嘔吐物）の場合であっても、本発明により、該作業で使用した使い捨て手袋の廃棄と同時に汚物の廃棄を小奇麗に衛生的に行うことができるので、該作業者の心理的な負担を軽減する。【０００８】   さらに、本発明の使い捨て手袋を使用して、汚染度の高い汚物を、すでに他の廃棄物が入ったゴミ袋に投入しても、該使い捨て手袋に包含された該汚物は、ゴミ袋内で散乱することもなく、該ゴミ袋の以後の継続的使用を快適に保つことができる。また、該ゴミ袋が防水性のものでなくても、たとえ該汚物に水分が含まれていようと、該汚物が使い捨て手袋に包含されているために、該汚物の水分がゴミ袋の外へ染み出ることが回避できる。【０００９】   そして、廃棄物や汚物処理に無関係に、作業後に単独で使い捨て手袋を捨てる時でも、当発明により、同じ手順で使い捨て手袋を脱ぐことで、これまでと違った新しい簡単な脱ぎ方ができる。
【図面の簡単な説明】
【００１０】
【図１】本発明において、従来の手袋をどのように加工するかを示したものである。
【図２】本発明による実施例１の前半。この後、図３に続く。
【図３】本発明による実施例１の後半。
【図４】本発明による実施例２。
【図５】本発明による実施例３。
【図６】本発明による実施例４
【図７】本発明による実施例５。
【発明を実施するための形態】
【００１１】   現在一般的に使用されてるポリオレフィン系（ポリオレフィン、ポリエチレン、ポリプロピレン）の材質の使い捨て手袋（図１のａ）において、手の挿入口のふちの中央部分に凹形状の加工を施す。図１は該凹形状の二種類の例を示している。ａ１は、該凹形状が三角形であり、ａ２は、該凹形状が長方形のものである。   本発明による製品上の工作は以上だけである。
【実施例１】
【００１２】   図２において、片側の手に本発明の手袋を装着し、それで汚物を握り、もう一方の手で、該汚物を握った手袋下端にある凹形状の手前の端を摘んで横に引き裂くように引っ張る。すると、該手袋の裾は大きく切り開かれ、次に図３のごとく、該手袋下端の反対側の凹形状の一端を摘み直して、それを一気に上方へ引き上げると、手袋は内側に汚物を包含したままスルリと脱げる。アトはそのままゴミ袋に投棄するだけである。
【実施例２】
【００１３】   図２から飛んで図４への流れにおいて、手袋を装着していない片方の手で、汚物を握っている手袋の背面（手の甲側）から、該手袋下端を摘んで上方に引き上げることで、該手袋は汚物を包含してスルリと脱げる。   この脱ぎ方は、より確実に汚物との接触を回避したい場合や、該汚物の量や水分が多くてその内容物が、脱ぐ時に飛散するのを防止したい場合に有効である。
【実施例３】
【００１４】   図５において、汚物を握った手袋の挿入口の切れ込みを横に引っ張って引き裂いた後、引っ張った手を持ち替えることなく、そのまま一気に上方に引き上げて、一発で手袋を脱ぐ手順である。非常に簡単な脱ぎ方であり、握る汚物の量が少ない時や、この発明を使っての手袋の脱ぎ方に慣れた後に使える手順である。
【実施例４】
【００１５】   図６において、本発明の手袋で汚物を握る際に、該手袋を二重に手に装着する（手袋を二枚使用する）。そうして、汚物をつかんだ該二重装着の手袋を、これまでの実施例（１、２、３）に示した手順で    一枚ずつ脱いで行くのである（ただし、１枚目の手袋は図６のように途中で脱ぐのを停止して２枚目の手袋を脱ぐ）。該利点は、握って廃棄する汚物が極端に汚染度が高いもの（糞便など）であっても、該手袋を脱ぐ過程で、わずかでも該汚物が手に付着する恐れを解消でき、かつ、該汚物を包んだ手袋を投棄したゴミ袋内においても該汚物の散乱を一層確実に回避できる。
【実施例５】
【００１６】   実際の作業現場においての実施例が図７である。   まず、図７のように、両手に装着した使い捨て手袋を使って作業を終えた後、該使い捨て手袋の片方を、もう一方の手で引っ張って脱がす。そして脱いだ該片方の使い捨て手袋を使って、廃棄すべき汚物を包み込む。そして該手袋に包み込まれた汚物を、いまだ使い捨て手袋が装されているもう一方の手の中に握る。以後、これまでの実施例で示した脱ぎ方によって、汚物を握った手袋を脱ぎ、それをゴミ袋に投棄するのである。
【実施例６】
【００１７】   以上述べた、本発明の使い捨て手袋の実施例は、すべて手袋廃棄と共に「汚物廃棄」をする場合についてであるが、しかし、汚物廃棄と無関係に、作業で使用した使い捨て手袋を単独で廃棄する場合にも使うことができ、該方法は、従来の使い捨て手袋の脱ぎ方に、新しい脱ぎ方を提供するものである。
【符号の説明】
【００１８】     １    廃棄すべき汚物     ２    脱ぎ捨てた片方の使い捨て手袋 
【手続補正２】
【補正対象書類名】特許請求の範囲
【補正対象項目名】全文
【補正方法】変更
【補正の内容】
【特許請求の範囲】
【請求項１】
現在一般的に使われてるポリオレフィン系（ポリオレフィン、ポリエチレン、ポリプロピレン）の材質の使い捨て手袋において、手の挿入口のふちの中央部分一か所に小さな凹形状の指かかりの成型をしたもの。
【請求項２】
請求項１において、手の挿入口のふち中央に入れる凹形状が、三角形、あるいは長方形、または多角形のもの。
【手続補正４】
【補正対象書類名】図面
【補正対象項目名】全図
【補正方法】変更
【補正の内容】
【図１】
2016223040.tif 000001
【図２】
2016223040.tif 000002
【図３】
2016223040.tif 000003
【図４】
2016223040.tif 000004
【図５】
2016223040.tif 000005
【図６】
2016223040.tif 000006
【図７】
2016223040.tif 000007